(57)【要約】【課題】  他の工具を使わなくても速やかにトルクを調整することが可能なねじ回し工具を提供する。【解決手段】  本体１は、スリーブチャンバ１０を有し、スリーブチャンバ１０に直径が比較的大きい上開口部１００が形成されており、下方に直径が比較的小さい下開孔１０１が形成されていることでスリーブの形状と対応している。スリーブチャンバ１０の上開口部の環壁面に複数個の溝部１０２が設けられている。溝部１０２に、スリーブ２の辺壁面に設けられている凸縁２０を設置することで、スリーブチャンバ１０とスリーブ２とが一体になる。【選択図】図１
2015123533.tif 000002
【特許請求の範囲】
【請求項１】
工具の一種であり、
本体、スリーブ、ロックシャンク、上ラチェット、下ラチェット、圧縮バネ、および、部品調整部を備え、
前記本体は、前記スリーブを設置するのに用いられるスリーブチャンバを有し、前記スリーブチャンバに上蓋と結合可能な係止部が設けられており、前記スリーブチャンバに複数個のノッチが設けられており、前記スリーブが突出棒と結合することで位置が決められ、前記上蓋に前記スリーブチャンバを設置する結合溝が設けられており、前記上蓋に前記スリーブチャンバの前記係止部と噛合う嵌合溝が設けられており、
前記スリーブは、前記スリーブチャンバを複数個の前記ノッチに設置する複数個の凸縁を有し、前記上ラチェットの凸縁が前記スリーブの内壁に複数個の前記ノッチに設けられており、内壁に前記部品調整部を締め付けてロックする雌ねじが設けられており、上方に部品調整部を稼動する複数個の位置決め棘状歯が設けられており、下ラチェット、上ラチェット、圧縮バネ、および、部品調整部を設置する部品室を有し、
前記ロックシャンクは、シャンク部を有し、前記シャンク部にＣ型バックルを嵌めるＣ型フォルダが設けられており、末端にロック端が設けられており、
前記上ラチェットは、前記ロックシャンクを貫設する貫通穴を有し、外表面に設けられている複数個の凸縁により前記スリーブの前記ノッチに設けられており、下端に前記下ラチェットの一方向性棘状歯に嵌合可能な一方向性棘状歯が設けられており、
前記下ラチェットは、前記ロックシャンクの前記シャンク部を貫設する貫通穴を有し、前記一方向性棘状歯を設ける大リングを有し、前記一方向性棘状歯により、前記上ラチェットの前記一方向性棘状歯に食い込み、
前記圧縮バネは、前記上ラチェットの上方と前記部品調整部との間に設けられており、前記ロックシャンクが貫設されており、前記上ラチェットと前記下ラチェットとを嵌合させる付勢力を発生し、ロックトルクを調整し。
前記部品調整部は、雄ねじを有し、雄ねじにより前記スリーブの前記雌ねじと螺合し、前記ロックシャンクを貫設する貫通穴を有し、外側に複数の位置決めピンが設けられている延長部を有し、前記延伸部に調整部が設けられており、前記調整部を動かすことにより部品を調整可能であることを特徴とするねじ回し工具。
【請求項２】
前記本体の両側に延伸部が設けられており、前記延伸部に結合穴が形成されており、前記上蓋が設けられており、前記上蓋の内側に結合柱が設けられており、前記結合柱と前述記結合孔とが結合することで、前記上蓋と前記本体とが一体となることを特徴とする請求項１に記載のねじ回し工具。
【請求項３】
前記スリーブの前記位置決め棘状歯は、直立面と傾斜面を有し、前記直立面と前記傾斜面との間に切頂面を有することを特徴とする請求項１に記載のねじ回し工具。
【請求項４】
前記部品調整部の前記位置決めピンに弧形末端が形成されていることを特徴とする請求項１に記載のねじ回し工具。
【請求項５】
前記部品調整部の前記位置決めピンが前記スリーブの前記位置決め棘状歯を移動するとき、音を出すことにより、調整者にトルク調整の設定値を知らせることを特徴とする請求項１に記載のねじ回し工具。
【発明の詳細な説明】
【技術分野】
【０００１】
本発明は、ねじ回し工具に関する。
【背景技術】
【０００２】
現在のトルクを制限する工具、例えば特許文献１に開示されている「ＬＯＣＫＡＢＬＥ  ＴＯＲＱＵＥ−ＬＩＭＩＴＩＮＧ  ＤＲＩＶＥＲ  ＡＮＤ  ＭＥＴＨＯＤ」のトルク調整方法は、主に調整プラグ（Ａｄｊｕｓｔｍｅｎｔ  ｐｌｕｇ）とロック板（ｌｏｃｋｉｎｇ  ｐｌａｔｅ）の結合により、調整者が、指でロック板を回転すると同時に、調整プラグを回転させて、調整プラグとスリーブ（ｓｌｅｅｖｅ）との間の結合を変更させる。調整完了後、更にロック板の本体接触部（Ｂｏｄｙ  ｅｎｇａｇｉｎｇ_ｐｏｒｔｉｏｎ）」に設けられている鋸歯（ｓｅｒｒａｔｉｏｎｓ）がスリーブの一対の尖端（Ａ  ｐａｉｒ  ｏｆ  ｐｒｏｎｇｓ）に嵌合することで、調整後のトルクを固定する。
前述の従来の技術は、トルクを調整するとき、取り外す必要がある場合、ロックトルクの不適切な調整が避けられ、ロックトルク一致性を実現することができる。
【０００３】
特許文献２に開示されている発明で「ＴＯＲＱＵＥ  ＬＩＭＩＴＩＮＧ  ＣＬＵＴＨ  ＡＮＤ  ＩＴＳ  ＵＳＥＳ」は、クローズド・ブロック（Ｃｌｏｓｕｒｅ  Ｂｌｏｃｋ）によりハウジング  （ｈｏｕｓｉｎｇ）の末端内側にロックされており、クローズド・ブロックの調整により本体内にロックされており、駆動部品（ｄｒｉｖｅｎ  ｍｅｍｂｅｒ）のロックトルクを決める。特許文献３に開示されている発明で「ＴＯＲＱＵＥ  ＷＲＥＮＣＨ」は、調整ねじ（Ａｄｊｕｓｔｉｎｇ  ｓｃｒｅｗ）により本体のハウジング下方に設置されており、調整ねじを調整することにより、ソケット工具（ｓｏｃｋｅｔ  ｔｏｏｌ）のロックトルクを変更させる。
前述の第二及び第三の従来の技術は、市販商品によく見られ、組立作業員はロックトルクを調整することがとき、工具を組み立て直す必要がない。
【先行技術文献】
【特許文献】
【０００４】
【特許文献１】アメリカ特許第７，４８７，７００Ｂ２号明細書
【特許文献２】アメリカ特許第５，３９７，２６９号明細書
【特許文献３】アメリカ特許第４，２３８，９７８号明細書
【発明の開示】
【発明が解決しようとする課題】
【０００５】
本発明の目的は、他の工具を使わなくても速やかにトルクを調整することが可能なねじ回し工具を提供する。
【課題を解決するための手段】
【０００６】
上述の目的を達成するために、本発明のねじ回し工具は、スリーブ上方に複数個の位置決め棘状歯が設けられ、部品調整部の位置決めピンに対応して稼動し、組立作業員が指でその部品調整部を回転することにより、圧縮バネが上ラチェット及び下ラチェットに加圧する圧力を変更させ、上ラチェットと下ラチェットとの間の嵌合状態を決めることにより、ロックシャンクのロックトルクを決める。
本発明のねじ回し工具は、調整時の音に基づいて、組立作業員に調整状態を知らせ、トルクの調整程度を繰り返してテストする必要はない。
【０００７】
本発明の回し工具は、スリーブの内壁に上ラチェットを設置する複数個の溝部が設けられている。上ラチェットは、スリーブに合わせて作動し、スリーブに雌ねじを設けることにより、部品調整部をロックする。部品調整部の位置を調整することで、ロックトルクを制限する。
【０００８】
本発明の回し工具は、スリーブ上方に複数個の位置決め棘状歯が設けられている。位置決め棘状歯と部品調整部の位置決めピンとを結合し、指で部品調整部を回転させることはできる。部品調整部を回転させるとき、位置決めピンがスリーブの位置決め棘状歯を移動するとき、音を出すことにより、調整者にトルク制限の設定程度を知らせる。よって、他の工具を使用せず、速やかかつ正確にロックトルクを調整することができる。
【図面の簡単な説明】
【０００９】
【図１】本発明の一実施形態によるねじ回し工具を示す分解斜視図である。
【図２】本発明の一実施形態によるねじ回し工具を示す分解斜視図である。
【図３】本発明の一実施形態によるねじ回し工具を示す平面図である。
【図４】図３のＡ−Ａ線断面図である。
【図５】本発明の一実施形態によるねじ回し工具を示す分解斜視図である。
【図６】本発明の一実施形態によるねじ回し工具の調整部品を示す平面図である。
【図７】図６のＢ−Ｂ線断面図である。
【図８】本発明の一実施形態によるねじ回し工具を示す斜視図である。
【発明を実施するための形態】
【００１０】
本発明の実施形態を、図面に基づいて説明する。図１〜図４に示すように、本発明の回し工具の構成は、以下のとおりである。
【００１１】
本体１は、スリーブチャンバ１０を有し、スリーブチャンバ１０に直径が比較的大きい上開口部１００が形成されており、下方に直径が比較的小さい下開孔１０１が形成されていることでスリーブの形状と対応している。スリーブチャンバ１０の上開口部の環壁面に複数個のノッチ１０２が設けられている。ノッチ１０２に、スリーブ２の辺壁面に設けられている凸縁２０を設置することで、スリーブチャンバ１０とスリーブ２とが一体になる。スリーブチャンバ１０の辺壁両側に係止部１０３を設けることにより、上蓋１１に対応して稼動する。本体１に上蓋１１を設け、上蓋１１にスリーブチャンバ１０の結合溝１１０を設けることにより、スリーブチャンバ１０の位置を決める。前述の上蓋１１の結合溝１１０の内壁面に嵌合溝１１１を設けることにより、スリーブチャンバ１０の係止部１０３が嵌合溝１１１の内部とが噛合う。よって、上蓋１１とスリーブチャンバ１０を確実に結合させる。
【００１２】
図１、図２、図４、図５に示すように、スリーブ２の外壁面に複数個の凸縁２０が設けられている。凸縁２０をスリーブチャンバ１０のノッチ１０２の中に設置することで、スリーブ２とスリーブチャンバ１０が一体化になる。スリーブ２に内径が比較的大きい上開口部２１と内径が比較的小さい下開孔２２が形成されており、他の部品を設置又は貫設するのに用いられる。スリーブ２の内壁面に複数個のノッチ２３を設けることで、上ラチェット４の結合突出棒４１を設置し、上ラチェット４とスリーブを同時に稼動させる。スリーブ２の内壁に雌ねじ２４を設けることにより、部品調整部７を締め付けてロックする。よって、ロックトルクの制限効果が発生する。スリーブ２０上方に複数個の位置決め棘状歯２５を設け、位置決め棘状歯２５に直立面２５０と傾斜面２５１を設け、直立面２５０と傾斜面２５１との間に切頂面２５２を形成することにより、部品調整部７の位置決めピン７３０に対応して稼動しやすくなるようにする。スリーブ２に部品室２６（図４）を設けることにより、上ラチェット４、下ラチェット５、圧縮バネ６と部品調整部７を設置する。
【００１３】
図４、図５に示すように、ロックシャンク３に六辺形のシャンク部３０を設け、シャンク部３０にＣ型フォルダ３１を設け、Ｃ型バックル３２を嵌めることにより、上ラチェット４、下ラチェット５、圧縮バネ６の位置を制限する。ロックシャンク３の末端にロック端３３を設け、ロック端を、一字形、十字形、六角形、又は、星形にする。
【００１４】
図４、図５に示すように、上ラチェット４に貫通穴４０を設けることによりロックシャンク３を穿通する。外表面に複数個の結合突出棒４１を設け、結合突出棒４１をスリーブ２の内壁ノッチ２３の中に設置することで、上ラチェット４がスリーブ２に制限され、回転しない状態となる。上ラチェット４の下端に一方向性棘状歯４２を設けることにより、下ラチェット５の稼動に合わせる。
【００１５】
図４、図５に示すように、下ラチェット５に六辺形の貫通穴５０を設けることにより、ロックシャンク３の六辺形シャンク部３０を貫設する。下ラチェット５と前述のロックシャンク３のシャンク部３０を固設することにより、ロックシャンク３の稼動に合わせる。下ラチェット５に大リング５１を設け、大リング５１の上表面に一方向性棘状歯５２を設ける。一方向性棘状歯５２を上ラチェット４の一方向性棘状歯４２に嵌合する。正常の場合、下ラチェット５の一方向性棘状歯５２は、上ラチェット４の一方向性棘状歯４２に完全に嵌合する。組立作業員がトルク値を設定するため、ねじ回し工具を操作するとき、本体１、スリーブ２と各部品は同時に回転し、ロック作動が行われる。
【００１６】
図４、図５に示すように、圧縮バネ６を上ラチェット４の上方と部品調整部７との間に設け、ロックシャンク３を貫設するのに用いられる。
【００１７】
図５、図６、図７に示すように、部品調整部７に雄ねじ７０が設けられている。雄ねじ７０とスリーブ２の雌ねじ２４とが螺合する。部品調整部とスリーブ２の結合位置を変換することによって、トルクの大きさを変更する。部品調整部７に貫通穴７１を設けることにより、ロックシャンク３を貫設する。部品調整部７に延長部７２を設け、かつ、延伸部７２の外側に複数個の位置決めピン７３を設け、位置決めピン７３に弧形末端７３０を設けることにより、部品調整部７の位置決めピン７３とスリーブ２の位置決め棘状歯２５とを同時に稼動する。よって、組立作業員が、簡単に指で部品調整部７を回すことで、部品調整部７が圧縮バネ６に圧迫される力を変更し、圧縮バネが上ラチェットと下ラチェットに付勢する付勢力を決め、トルクの大きさを決める。
【００１８】
図４、図５、図８に示すように、各部品を組み立てるとき、先ずロックシャンク３のＣ型バックル３２とロックシャンク３を一体にする。つぎに、ロックシャンク３の上方から、下ラチェット５、上ラチェット４、および圧縮バネ６の順で嵌め込む。更に、上述の部品をスリーブ２の部品室２６に設置する。また、上ラチェット４の結合突出棒４１とスリーブ２の内壁ノッチ２３を結合させ、上ラチェット４がスリーブ２に制限され、スリーブの作動に合わせるようにする。更に部品調整部７とスリーブ２をロックし、調整者が、部品調整部７の延伸部７２を回すだけで、部品調整部７を回転させることができるようにする。同時に、調整部品７の位置決めピン７３は、スリーブの位置決め棘状歯２５で移動することで音を出し、調整者にトルク制限の設定程度を知らせる。よって、他の工具を使用せず、速やかかつ正確にロックトルクを調整することができる。最後に、前述の部品と本体を結合し、また本体上方の上蓋を閉めることで、組立が完了し、トルクを適切な位置に調整する。
【００１９】
組立作業員が、ネジ回し工具でゴルフクラブヘッドの内部ねじをロックするとき、図４に示すように、トルクが設定範囲内である場合、組立作業員は、工具を回し、ロックシャンクによりゴルフクラブヘッドのねじをロックすることができる。組立作業員がロックをトルク値より高く設定したいとき、上ラチェット４に上方に向かって移動する力を与え、圧縮バネ６を押し込むと、上ラチェット４と下ラチェット５が離脱する。組立作業員が工具を回し、本体とスリーブを続けて回転させても、上ラチェット４と下ラチェット５が離脱しているため、下ラチェット５とロックシャンク３が上ラチェットの駆動動力源から離脱する。よって、ロックシャンクの回転しない状態が維持され、ロックされるゴルフクラブヘッドのねじが保護されることにより、ヘッドでボールを打つときのバランスへの影響を避けることができる。
【符号の説明】
【００２０】
１  本体、
１０  スリーブチャンバ、
１００  上開口部、
１０１  下開孔、
１０２  溝部、
１０３  係止部、
１１  上蓋、
１１０  結合溝、
１１１  嵌合溝、
２  スリーブ、
２０  凸縁、
２１  上開口部、
２２  下開孔、
２３  溝部、
２４  雌ねじ、
２５  位置決め棘状歯、
２５０  直立面、
２５１  傾斜面、
２５２  切頂面、
２６  部品室、
３  ロックシャンク、
３０  シャンク部、
３１  Ｃ型フォルダ、
３２  Ｃ型バックル、
３３  ロック端、
４  上ラチェット、
４０  貫通穴、
４１  結合突出棒、
４２  一方向性棘状歯、
５  下ラチェット、
５０  貫通穴、
５１  大リング、
５２  一方向性棘状歯、
６  圧縮バネ、
７  部品調整部、
７０  雄ねじ、
７１  貫通穴、
７２  延伸部、
７３  位置決めピン、
７３０  弧形末端。
【図１】
2015123533.tif 000003
【図２】
2015123533.tif 000004
【図３】
2015123533.tif 000005
【図４】
2015123533.tif 000006
【図５】
2015123533.tif 000007
【図６】
2015123533.tif 000008
【図７】
2015123533.tif 000009
【図８】
2015123533.tif 000010
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
工具の一種であり、
本体、スリーブ、ロックシャンク、上ラチェット、下ラチェット、圧縮バネ、および、部品調整部を備え、
前記本体は、前記スリーブを設置するのに用いられるスリーブチャンバを有し、前記スリーブチャンバに上蓋と結合可能な係止部が設けられており、前記スリーブチャンバに複数個のノッチが設けられており、前記スリーブが突出棒と結合することで位置が決められ、前記上蓋に前記スリーブチャンバを設置する結合溝が設けられており、前記上蓋に前記スリーブチャンバの前記係止部と噛合う嵌合溝が設けられており、
前記スリーブは、前記スリーブチャンバを複数個の前記ノッチに設置する複数個の凸縁を有し、前記上ラチェットの係合突出棒が前記スリーブの内壁に複数個の前記ノッチに設けられており、内壁に前記部品調整部を締め付けてロックする雌ねじが設けられており、上方に部品調整部を稼動する複数個の位置決め棘状歯が設けられており、下ラチェット、上ラチェット、圧縮バネ、および、部品調整部を設置する部品室を有し、
前記ロックシャンクは、シャンク部を有し、前記シャンク部にＣ型バックルを嵌めるＣ型フォルダが設けられており、末端にロック端が設けられており、
前記上ラチェットは、前記ロックシャンクを貫設する貫通穴を有し、外表面に設けられている複数個の係合突出棒により前記スリーブの前記ノッチに設けられており、下端に前記下ラチェットの一方向性棘状歯に嵌合可能な一方向性棘状歯が設けられており、
前記下ラチェットは、前記ロックシャンクの前記シャンク部を貫設する貫通穴を有し、
前記下ラチェットの一方向性棘状歯を設ける大リングを有し、前記下ラチェットの一方向性棘状歯により、前記上ラチェットの前記一方向性棘状歯に食い込み、
前記圧縮バネは、前記上ラチェットの上方と前記部品調整部との間に設けられており、前記ロックシャンクが貫設されており、前記上ラチェットと前記下ラチェットとを嵌合させる付勢力を発生し、
前記部品調整部は、雄ねじを有し、雄ねじにより前記スリーブの前記雌ねじと螺合し、前記ロックシャンクを貫設する貫通穴を有し、外側に複数の位置決めピンが設けられている延伸部を有し、前記延伸部に調整部が設けられており、前記調整部を動かすことにより部品を調整可能であり、前記位置決めピンが前記スリーブの複数の前記位置決め棘状歯で移動することで音を出すことを特徴とするねじ回し工具。
【請求項２】
前記スリーブの前記位置決め棘状歯は、直立面と傾斜面を有し、前記直立面と前記傾斜面との間に切頂面を有することを特徴とする請求項１に記載のねじ回し工具。
【請求項３】
前記部品調整部の前記位置決めピンに末端が形成されていることを特徴とする請求項１に記載のねじ回し工具。
【請求項４】
前記部品調整部の前記位置決めピンが前記スリーブの前記位置決め棘状歯を移動するとき、音を出すことにより、調整者にトルク調整の設定値を知らせることを特徴とする請求項１に記載のねじ回し工具。
【手続補正２】
【補正対象書類名】明細書
【補正対象項目名】００１７
【補正方法】変更
【補正の内容】
【００１７】
図５、図６、図７に示すように、部品調整部７に雄ねじ７０が設けられている。雄ねじ７０とスリーブ２の雌ねじ２４とが螺合する。部品調整部とスリーブ２の結合位置を変換することによって、トルクの大きさを変更する。部品調整部７に貫通穴７１を設けることにより、ロックシャンク３を貫設する。部品調整部７に延伸部７２を設け、かつ、延伸部７２の外側に複数個の位置決めピン７３を設け、位置決めピン７３に末端７３０を設けることにより、部品調整部７の位置決めピン７３とスリーブ２の位置決め棘状歯２５とを同時に稼動する。よって、組立作業員が、簡単に指で部品調整部７を回すことで、部品調整部７が圧縮バネ６に圧迫される力を変更し、圧縮バネが上ラチェットと下ラチェットに付勢する付勢力を決め、トルクの大きさを決める。
【手続補正３】
【補正対象書類名】明細書
【補正対象項目名】００１８
【補正方法】変更
【補正の内容】
【００１８】
図４、図５、図８に示すように、各部品を組み立てるとき、先ずロックシャンク３のＣ型バックル３２とロックシャンク３を一体にする。つぎに、ロックシャンク３の上方から、下ラチェット５、上ラチェット４、および圧縮バネ６の順で嵌め込む。更に、上述の部品をスリーブ２の部品室２６に設置する。また、上ラチェット４の結合突出棒４１とスリーブ２の内壁ノッチ２３を結合させ、上ラチェット４がスリーブ２に制限され、スリーブの作動に合わせるようにする。更に部品調整部７とスリーブ２をロックし、調整者が、部品調整部７の延伸部７２を回すだけで、部品調整部７を回転させることができるようにする。同時に、部品調整部７の位置決めピン７３は、スリーブの位置決め棘状歯２５で移動することで音を出し、調整者にトルク制限の設定程度を知らせる。よって、他の工具を使用せず、速やかかつ正確にロックトルクを調整することができる。最後に、前述の部品と本体を結合し、また本体上方の上蓋を閉めることで、組立が完了し、トルクを適切な位置に調整する。
【手続補正４】
【補正対象書類名】明細書
【補正対象項目名】００２０
【補正方法】変更
【補正の内容】
【００２０】
１  本体、
１０  スリーブチャンバ、
１００  上開口部、
１０１  下開孔、
１０２  溝部、
１０３  係止部、
１１  上蓋、
１１０  結合溝、
１１１  嵌合溝、
２  スリーブ、
２０  凸縁、
２１  上開口部、
２２  下開孔、
２３  溝部、
２４  雌ねじ、
２５  位置決め棘状歯、
２５０  直立面、
２５１  傾斜面、
２５２  切頂面、
２６  部品室、
３  ロックシャンク、
３０  シャンク部、
３１  Ｃ型フォルダ、
３２  Ｃ型バックル、
３３  ロック端、
４  上ラチェット、
４０  貫通穴、
４１  結合突出棒、
４２  一方向性棘状歯、
５  下ラチェット、
５０  貫通穴、
５１  大リング、
５２  一方向性棘状歯、
６  圧縮バネ、
７  部品調整部、
７０  雄ねじ、
７１  貫通穴、
７２  延伸部、
７３  位置決めピン、
７３０  末端。